(57)【要約】【課題】画像形成装置の登録情報を他の画像形成装置に適用する場合に、ログインするためのウェブページを表示する際のユーザにとっての煩雑さを従来よりも軽減する。【解決手段】端末装置２、予め登録された登録データ６Ａに基づいて処理を行う画像形成装置１Ａ、および画像形成装置１Ｂからなる画像処理システムにおいて、端末装置２は、登録データ６Ａのエクスポート先として選択された画像形成装置１Ｂを示す指示データ６Ｆを画像形成装置１Ａへ送信し、画像形成装置１Ａは、指示データ６Ｆが示す画像形成装置１Ｂのログイン画面５Ｋにアクセスするための要求先データ６Ｆを端末装置２へ送信し、端末装置２は、要求先データ６Ｆに基づいてログイン画面５Ｋを画像形成装置１Ｂへ要求し、画像形成装置１Ｂは、端末装置２の要求に応じてログイン画面５Ｋの画面データ６Ｋを端末装置２へ送信する。【選択図】図４
2018125636.tif 000002
【特許請求の範囲】
【請求項１】
端末装置、予め登録された登録情報に基づいて処理を行う第１の画像処理装置、および１台または複数台の第２の画像処理装置からなる画像処理システムであって、
前記端末装置は、
前記１台または複数台の第２の画像処理装置のうちの前記登録情報のエクスポート先として選択された第２の画像処理装置を示す特定データを前記第１の画像処理装置へ送信する第１の送信手段、
を有し、
前記第１の画像処理装置は、
前記１台または複数台の第２の画像処理装置のうちの前記特定データが示す第２の画像処理装置にログインするためのログイン画面にアクセスするためのアクセス情報を前記端末装置へ送信する、第２の送信手段、
を有し、
前記端末装置は、
前記アクセス情報に基づいて前記ログイン画面を前記選択された第２の画像処理装置へ要求する要求手段、
を有し、
前記１台または複数台の第２の画像処理装置のそれぞれは、
前記端末装置からの要求に応じて当該第２の画像処理装置にログインするための画面を表示するための画面データを当該端末装置へ送信する第３の送信手段、
を有し、
前記端末装置は、
前記画面データに基づいて前記ログイン画面を表示する表示手段、
を有することを特徴とする、画像処理システム。
【請求項２】
予め登録された登録情報に基づいて処理を行い、端末装置および１台または複数台の他の画像処理装置と通信することができる画像処理装置であって、
前記１台または複数台の他の画像処理装置のうちの前記登録情報のエクスポート先として選択された被選択画像処理装置を示す特定データが前記端末装置から送信されてくると、前記被選択画像処理装置にログインするためのログイン画面にアクセスするためのアクセス情報を当該端末装置へ送信する、送信手段、
を有することを特徴とする画像処理装置。
【請求項３】
前記送信手段は、前記特定データに前記被選択画像処理装置が複数示される場合に、当該複数の被選択画像処理装置それぞれの前記ログイン画面の前記アクセス情報を当該端末装置へ送信する、
請求項２に記載の画像処理装置。
【請求項４】
前記送信手段は、前記複数の被選択画像処理装置のうちの１台目の被選択画像処理装置の前記ログイン画面の前記アクセス情報を、前記特定データが送信されてきた際に送信し、その後、Ｎ（ただし、Ｎ≧２）台目の被選択画像処理装置の前記ログイン画面の前記アクセス情報を、（Ｎ−１）台目の被選択画像処理装置へログインすることができた旨が当該（Ｎ−１）台目の被選択画像処理装置から通知されてきた際に送信する、
請求項３に記載の画像処理装置。
【請求項５】
前記送信手段は、前記端末装置から前記特定データとともに前記アクセス情報を送信する順番を示す順番データが送信されてきた場合は、当該順番データに基づいて当該アクセス情報を当該端末装置へ送信する、
請求項３または請求項４に記載の画像処理装置。
【請求項６】
前記送信手段は、前記複数の被選択画像処理装置のうちのユーザによって現在使用されていない被選択画像処理装置の前記ログイン画面の前記アクセス情報を、それ以外の被選択画像処理装置の前記ログイン画面のアクセス情報よりも優先して前記端末装置へ送信する、
請求項３または請求項４に記載の画像処理装置。
【請求項７】
当該画像処理装置へログインするための第２のログイン画面を前記端末装置へ送信する第２の送信手段、を有し、
前記送信手段は、当該画像処理装置へログインすることができた場合に、前記アクセス情報を送信する、
請求項２ないし請求項６のいずれかに記載の画像処理装置。
【請求項８】
端末装置および予め登録された登録情報に基づいて処理を行う他の画像処理装置と通信することができる画像処理装置であって、
前記端末装置から前記他の画像処理装置へ送信された特定データが前記登録情報のエクスポート先として当該画像処理装置を示す場合に、当該画像処理装置にログインするためのログイン画面にアクセスするためのアクセス情報に基づいて当該ログイン画面を当該端末装置が要求すると、当該ログイン画面を表示するための画面データを当該端末装置へ送信する、送信手段、
を有することを特徴とする画像処理装置。
【請求項９】
前記端末装置からの要求に応じて、当該端末装置のユーザが当該画像処理装置へログインするための処理を行う認証手段と、
前記端末装置が当該画像処理装置へログインすることができた場合に、前記登録情報を前記他の画像処理装置から受信して当該画像処理装置に適用する適用手段と、
を有する、
請求項８に記載の画像処理装置。
【請求項１０】
前記送信手段は、前記端末装置が前記他の画像処理装置にログインするための第２のログイン画面を表示している場合において、前記ログイン画面が当該第２のログイン画面に隠れないように当該端末装置において表示されるように、前記画面データを送信する、
請求項８または請求項９に記載の画像処理装置。
【請求項１１】
前記送信手段は、前記登録情報を当該画像処理装置へ送信するための準備が完了した旨の通知が前記他の画像処理装置から送信されたときに、前記画面データを前記端末装置へ送信する、
請求項８ないし請求項１０のいずれかに記載の画像処理装置。
【請求項１２】
前記登録情報が当該画像処理装置に登録されたときに、登録が完了した旨の通知を表示しまたは前記端末装置へ送信する、完了通知手段、を有する、
請求項８ないし請求項１１のいずれかに記載の画像処理装置。
【請求項１３】
端末装置、予め登録された登録情報に基づいて処理を行う第１の画像処理装置、および１台または複数台の第２の画像処理装置からなる画像処理システムで実行されるログイン画面表示方法であって、
前記端末装置に、
前記１台または複数台の第２の画像処理装置のうちの前記登録情報のエクスポート先として選択された第２の画像処理装置を示す特定データを前記第１の画像処理装置へ送信させ、
前記第１の画像処理装置に、
前記１台または複数台の第２の画像処理装置のうちの前記特定データが示す第２の画像処理装置にログインするためのログイン画面にアクセスするためのアクセス情報を前記端末装置へ送信させ、
前記端末装置に、
前記アクセス情報に基づいて前記ログイン画面を前記選択された第２の画像処理装置へ要求させ、
前記１台または複数台の第２の画像処理装置のそれぞれに、
前記端末装置からの要求に応じて当該第２の画像処理装置にログインするための画面を表示するための画面データを当該端末装置へ送信させ、
前記端末装置に、
前記画面データに基づいて前記ログイン画面を表示させる、
ことを特徴とする、ログイン画面表示方法。
【請求項１４】
予め登録された登録情報に基づいて処理を行い、端末装置および１台または複数台の他の画像処理装置と通信することができる画像処理装置に用いられるコンピュータプログラムであって、
前記画像処理装置に、
前記１台または複数台の他の画像処理装置のうちの前記登録情報のエクスポート先として選択された被選択画像処理装置を示す特定データが前記端末装置から送信されてくると、前記被選択画像処理装置にログインするためのログイン画面にアクセスするためのアクセス情報を当該端末装置へ送信する処理を実行させる、
ことを特徴とするコンピュータプログラム。
【請求項１５】
端末装置および予め登録された登録情報に基づいて処理を行う他の画像処理装置と通信することができる画像処理装置に用いられるコンピュータプログラムであって、
前記画像処理装置に、
前記端末装置から前記他の画像処理装置へ送信された特定データが前記登録情報のエクスポート先として当該画像処理装置を示す場合に、当該画像処理装置にログインするためのログイン画面にアクセスするためのアクセス情報に基づいて当該ログイン画面を当該端末装置が要求すると、当該ログイン画面を表示するための画面データを当該端末装置へ送信する処理を実行させる、
ことを特徴とするコンピュータプログラム。
【発明の詳細な説明】
【技術分野】
【０００１】
本発明は、ある画像形成装置に登録された情報を抽出して他の画像形成装置に適用する技術に関する。
【背景技術】
【０００２】
従来、複合機またはＭＦＰ（Multi Function Peripherals）と呼ばれる画像形成装置が普及している。ユーザは、画像形成装置に、ユーザ自身が使用する頻度が高いコピーの条件をデフォルトとして登録し、ＦＡＸ番号などをアドレス帳に登録し、またはインターネットと接続するために必要な情報を、予め登録する。以下、このような画像形成装置にユーザによって予め登録されている情報を、登録情報と記載する。
【０００３】
登録情報は、新しい画像形成装置を設置するときに登録されることが多い。このとき、既存の画像形成装置の登録情報と同じ登録情報を新しい画像形成装置にキーボードなどを操作して一から入力することは、効率的ではない。そのため、既存の画像形成装置に登録されている登録情報をエクスポートつまり抽出して新しい画像形成装置にインポートつまり適用することが、行われている。
【０００４】
ここで、ウェブブラウザを用いて登録情報などの各種の情報を画像形成装置に入力する技術が、知られている（特許文献１参照）。さらに、あるウェブブラウザで使用されている情報を他のウェブブラウザでも使用できるようにする技術が、以下のように開示されている。
【０００５】
特許文献２に記載される文書管理サーバは、電子ファイルおよびフォルダからなる、操作の対象となるアイテムを、一意なＩＤによって管理する。ユーザが操作するＷｅｂブラウザのウィンドウを識別するためのＩＤである情報共有ウィンドウＩＤを発行する情報共有ウィンドウＩＤ発行部と、アイテムに関するアイテム情報を一時記憶するデータベースであるアイテム情報ＤＢと、アイテム情報ＤＢにアイテム情報を記憶させるアイテム記憶処理部と、情報共有ウィンドウＩＤで識別されるウィンドウから、アイテム情報ＤＢに記憶している最新のアイテム情報に対応するアイテムを操作するための要求を処理する記憶アイテム処理部と、を有する。
【先行技術文献】
【特許文献】
【０００６】
【特許文献１】特開２０１５−１５３２８４号公報
【特許文献２】特開２０１５−２０１２３２号公報
【発明の概要】
【発明が解決しようとする課題】
【０００７】
ユーザは、既存の画像形成装置の登録情報を抽出して新しい画像形成装置に適用するために、次のような手順で作業を行う。すなわち、ユーザは、既存の画像形成装置に端末装置からログインして、既存の画像形成装置の登録情報を端末装置にコピーする。そして、新しい画像形成装置にその端末装置からログインして、その登録情報を新しい画像形成装置に取り込ませる。
【０００８】
この手順を行うときに、ユーザは、画像形成装置それぞれにログインするためのウェブページを端末装置のウェブブラウザに表示させる必要がある。このウェブページがウェブサイトの下位の階層に配置されていると、ユーザは複数のウェブページを辿らなければならなくなる。さらに、ユーザは、このウェブページにアクセスするためのリンクを探さなければならない。登録情報をエクスポートするときだけでなく登録情報をインポートするときにも同じような作業をする必要があり、この点がユーザにとって煩雑であった。この問題は、特許文献１および特許文献２に記載される発明では解決することはできない。
【０００９】
本発明は、このような問題点に鑑み、画像形成装置の登録情報を抽出して他の画像形成装置に適用する場合に、ログインするためのウェブページを表示する際のユーザにとっての煩雑さを従来よりも軽減することを、目的とする。
【課題を解決するための手段】
【００１０】
本発明の一実施形態に係る画像処理システムは、端末装置、予め登録された登録情報に基づいて処理を行う第１の画像処理装置、および１台または複数台の第２の画像処理装置からなり、前記端末装置は、前記１台または複数台の第２の画像処理装置のうちの前記登録情報のエクスポート先として選択された第２の画像処理装置を示す特定データを前記第１の画像処理装置へ送信する第１の送信手段、を有し、前記第１の画像処理装置は、前記１台または複数台の第２の画像処理装置のうちの前記特定データが示す第２の画像処理装置にログインするためのログイン画面にアクセスするためのアクセス情報を前記端末装置へ送信する、第２の送信手段、を有し、前記端末装置は、前記アクセス情報に基づいて前記ログイン画面を前記選択された第２の画像処理装置へ要求する要求手段、を有し、前記１台または複数台の第２の画像処理装置のそれぞれは、前記端末装置からの要求に応じて当該第２の画像処理装置にログインするための画面を表示するための画面データを当該端末装置へ送信する第３の送信手段、を有し、前記端末装置は、前記画面データに基づいて前記ログイン画面を表示する表示手段、を有することを特徴とする。
【００１１】
本発明の一実施形態に係る画像処理装置は、予め登録された登録情報に基づいて処理を行い、端末装置および１台または複数台の他の画像処理装置と通信することができ、前記１台または複数台の他の画像処理装置のうちの前記登録情報のエクスポート先として選択された被選択画像処理装置を示す特定データが前記端末装置から送信されてくると、前記被選択画像処理装置にログインするためのログイン画面にアクセスするためのアクセス情報を当該端末装置へ送信する、送信手段、を有することを特徴とする。
【００１２】
好ましくは、前記送信手段は、前記特定データに前記被選択画像処理装置が複数示される場合に、当該複数の被選択画像処理装置それぞれの前記ログイン画面の前記アクセス情報を当該端末装置へ送信する。
【００１３】
本発明の一実施形態に係る画像処理装置は、端末装置および予め登録された登録情報に基づいて処理を行う他の画像処理装置と通信することができ、前記端末装置から前記他の画像処理装置へ送信された特定データが前記登録情報のエクスポート先として当該画像処理装置を示す場合に、当該画像処理装置にログインするためのログイン画面にアクセスするためのアクセス情報に基づいて当該ログイン画面を当該端末装置が要求すると、当該ログイン画面を表示するための画面データを当該端末装置へ送信する、送信手段、を有する。
【発明の効果】
【００１４】
本発明によると、画像形成装置の登録情報を抽出して他の画像形成装置に適用する場合に、ログインするためのウェブページを表示する際のユーザにとっての煩雑さを従来よりも軽減することができる。
【図面の簡単な説明】
【００１５】
【図１】画像処理システムの例を示す図である。
【図２】画像形成装置のハードウェア構成の例を示す図である。
【図３】端末装置のハードウェア構成の例を示す図である。
【図４】登録データエクスポートプログラムによる画像形成装置１の機能的構成の例を示す図である。
【図５】登録データインポートプログラムによる画像形成装置１の機能的構成の例を示す図である。
【図６】端末装置、各画像形成装置それぞれの処理の流れの例を示すシーケンス図である。
【図７】端末装置、各画像形成装置それぞれの処理の流れの例を示すシーケンス図である。
【図８】端末装置、各画像形成装置それぞれの処理の流れの例を示すシーケンス図である。
【図９】端末装置、各画像形成装置それぞれの処理の流れの例を示すシーケンス図である。
【図１０】ログイン画面の例を示す図である。
【図１１】状態画面の例を示す図である。
【図１２】エクスポート画面の例を示す図である。
【図１３】ログイン画面の例を示す図である。
【図１４】状態画面の例を示す図である。
【発明を実施するための形態】
【００１６】
図１は、画像処理システム１００の例を示す図である。図２は、画像形成装置１のハードウェア構成の例を示す図である。図３は、端末装置２のハードウェア構成の例を示す図である。
【００１７】
図１に示すように、画像処理システム１００は、複数台の画像形成装置１Ａ、１Ｂ、１Ｃ…、端末装置２、および通信回線４などによって構成されている。
【００１８】
画像形成装置１Ａ、１Ｂ、１Ｃ、…、および端末装置２は、通信回線４を介して通信できる。通信回線として、ＬＡＮ（Local Area Network）、インターネット、公衆回線、または専用回線などが用いられる。
【００１９】
画像形成装置１Ａ、１Ｂ、１Ｃ、…は、コピー、ＰＣプリント、ファックス、スキャナ、およびボックスなどの機能を集約した装置である。一般に、「複合機」または「ＭＦＰ（Multi Function Peripherals）」などと呼ばれることがあり、画像処理装置に分類される。以下、画像形成装置１Ａ、１Ｂ、１Ｃ、…を「画像形成装置１」と総称する場合がある。
【００２０】
ＰＣプリント機能は、端末装置２から受信した画像データに基づいて画像を用紙に印刷する機能である。「ネットワークプリンティング」または「ネットワークプリント」などと呼ばれることもある。
【００２１】
ボックス機能は、ユーザごとに「ボックス」または「パーソナルボックス」などと呼ばれる記憶領域を与えておき、各ユーザが自分の記憶領域によって画像データなどを保存し管理するための機能である。グループごとにボックスを設けておき、グループのメンバで共用することもできる。ボックスは、パーソナルコンピュータにおける「フォルダ」または「ディレクトリ」に相当する。
【００２２】
画像形成装置１は、図２に示すように、ＣＰＵ１０ａ、ＲＡＭ１０ｂ、ＲＯＭ１０ｃ、補助記憶装置１０ｄ、タッチパネルディスプレイ１０ｅ、操作キーパネル１０ｆ、ＮＩＣ（Network Interface Card）１０ｇ、スキャンユニット１０ｈ、プリントユニット１０ｉ、フィニッシャ１０ｊ、およびモデム１０ｋなどによって構成される。
【００２３】
タッチパネルディスプレイ１０ｅは、ユーザに対するメッセージを示す画面、ユーザがコマンドまたは情報を入力するための画面、およびＣＰＵ１０ａが実行した処理の結果を示す画面などを表示する。また、タッチパネルディスプレイ１０ｅは、タッチされた位置を示す信号をＣＰＵ１０ａへ送る。
【００２４】
操作キーパネル１０ｆは、いわゆるハードウェアキーボードであって、テンキー、スタートキー、ストップキー、およびファンクションキーなどによって構成される。
【００２５】
ＮＩＣ１０ｇは、ＴＣＰ／ＩＰ（Transmission Control Protocol/Internet Protocol）などのプロトコルで他の装置との通信を行う。
【００２６】
スキャンユニット１０ｈは、プラテンガラスの上にセットされたシートに記されている画像を読み取って画像データを生成する。
【００２７】
プリントユニット１０ｉは、スキャンユニット１０ｈによって読み取られた画像のほか、ＮＩＣ１０ｇまたはモデム１０ｋによって他の装置から受信した画像を用紙に印刷する。
【００２８】
フィニッシャ１０ｊは、プリントユニット１０ｉによって得られた印刷物に対して、必要に応じて後処理を施す。後処理は、ステープルで綴じる処理、パンチ穴を開ける処理、または折り曲げる処理などである。
【００２９】
モデム１０ｋは、ファックス端末との間でＧ３などのプロトコルで画像データをやり取りする。
【００３０】
ＲＯＭ１０ｃまたは補助記憶装置１０ｄには、上述のコピーなどの各機能を実現するためのプログラムが記憶されている。補助記憶装置１０ｄとして、ハードディスクドライブまたはＳＳＤ（Solid State Drive）などが用いられる。
【００３１】
また、登録データエクスポートプログラム１１Ｐ（図４参照）および登録データインポートプログラム１２Ｐ（図５参照）が記憶されている。登録データエクスポートプログラム１１Ｐは、画像形成装置１の登録データ６Ａをエクスポートつまり抽出するプログラムである。登録データインポートプログラム１２Ｐは、抽出された登録データ６Ａを画像形成装置１へインポートつまり適用するプログラムである。
【００３２】
これらのプログラムは、必要に応じてＲＡＭ１０ｂにロードされ、ＣＰＵ１０ａによって実行される。
【００３３】
さらに、ＲＯＭ１０ｃまたは補助記憶装置１０ｄには、登録データ６Ａを記憶する登録データ記憶領域８が設けられている。登録データ６Ａは、種々の処理の条件を示すデータである。登録データ６Ａとして、例えば、次の登録データ６Ａ１〜６Ａ５が記憶される。
【００３４】
登録データ６Ａ１は、画像形成装置１の起動直後に表示される画面の構成を示す情報（例えば、配置されるアイコンの種類またはその配置場所などを示す情報）である。
【００３５】
登録データ６Ａ２は、ユーザの使用する頻度が高いデフォルトのコピーの条件を示す情報である。登録データ６Ａ３は、お気に入りとして設定されたユーザの使用する頻度が高いコピーの条件を示す情報である。なお、デフォルトおよびお気に入りはコピーの条件だけでなくスキャンの条件などについてもある。
【００３６】
登録データ６Ａ４は、アドレス帳であって、スキャンユニット１０ｈがスキャンした画像データの送信先の候補であるＦＡＸ番号およびメールアドレスなどである。
【００３７】
登録データ６Ａ５は、デフォルトゲートウェイの値またはＤＮＳ（Domain Name System）サーバの値などのネットワークに関する条件を示す情報である。これらのような、画像形成装置１に予め登録された情報が登録データ６Ａである。
【００３８】
登録データ６Ａは適宜、登録データ記憶領域８から読み出される。そして、読み出された登録データ６Ａに基づいて処理が実行される。
【００３９】
登録データ６Ａの内容は、通常、ユーザがタッチパネルディスプレイ１０ｅまたは操作キーパネル１０ｆを操作することで入力され、登録データ記憶領域８に記憶される。
【００４０】
図１に戻り、端末装置２は、ある画像形成装置１に対して登録データ６Ａの抽出を指示し、他の画像形成装置１に対してその登録データ６Ａの適用を指示する。端末装置２として、スマートフォン、タブレットコンピュータまたはパーソナルコンピュータなどが用いられる。以下、端末装置２として、パーソナルコンピュータが用いられる場合を例に説明する。
【００４１】
図３に示すように、端末装置２は、ＣＰＵ２０ａ、ＲＡＭ２０ｂ、ＲＯＭ２０ｃ、大容量記憶装置２０ｄ、ＮＩＣ２０ｅ、キーボード２０ｆ、ポインティングデバイス２０ｇ、およびディスプレイ２０ｈなどによって構成される。
【００４２】
キーボード２０ｆおよびポインティングデバイス２０ｇは、ユーザの操作を受け付けて、受け付けた操作の内容を示す信号をＣＰＵ２０ａへ送る。
【００４３】
ディスプレイ２０ｈは、ユーザに対するメッセージを示す画面、ユーザがコマンドまたは情報を入力するための画面、およびＣＰＵ２０ａが実行した処理の結果を示す画面などを表示する。
【００４４】
ＲＯＭ２０ｃまたは大容量記憶装置２０ｄには、ウェブブラウザなどのプログラムが記憶されている。これらのプログラムは、必要に応じてＲＡＭ２０ｂにロードされ、ＣＰＵ２０ａによって実行される。
【００４５】
登録データエクスポートプログラム１１Ｐおよび登録データインポートプログラム１２Ｐによると、ある画像形成装置１の登録データ６Ａを抽出して他の画像形成装置１へ適用する場合に、ログインするためのウェブページを表示する際のユーザにとっての煩雑さを従来よりも軽減することができる。
【００４６】
以下、この仕組みを、画像形成装置１Ａから抽出して画像形成装置１Ｂへ適用する場合を例に説明する。
【００４７】
〔実施形態の一例〕
図４は、登録データエクスポートプログラム１１Ｐによる画像形成装置１の機能的構成の例を示す図である。図５は、登録データインポートプログラム１２Ｐによる画像形成装置１の機能的構成の例を示す図である。図６〜図９は、端末装置２、画像形成装置１Ａおよび画像形成装置１Ｂそれぞれの処理の流れの例を示すシーケンス図である。図１０は、ログイン画面５Ｂの例を示す図である。図１１は、状態画面５Ｄ１の例を示す図である。図１２は、エクスポート画面５Ｄ６の例を示す図である。図１３は、ログイン画面５Ｋの例を示す図である。図１４は、状態画面５Ｍ１の例を示す図である。
【００４８】
登録データエクスポートプログラム１１Ｐによると、図４に示す認証処理部１０１、ＭＦＰ検索部１０２、登録データエクスポート部１０３、ファイル共有部１０４、アクセスキー送信部１０５、およびログイン指示部１０６が画像形成装置１に実現される。また、登録データインポートプログラム１２Ｐによると、図５に示すＭＩＢデータ送信部１２１、アクセスキー受信部１２２、アクセスキー記憶部１２３、認証処理部１２４、登録データインポート部１２５、および完了通知部１２６が画像形成装置１に実現される。
【００４９】
以下、認証処理部１０１ないしログイン指示部１０６の動作、およびＭＩＢデータ送信部１２１ないし完了通知部１２６の動作を、図６〜図１４を参照しながら説明する。
【００５０】
ユーザは、端末装置２のウェブブラウザを起動させる。ウェブブラウザの画面には、タブ７Ａ（図７参照）がデフォルトのタブとして配置されている。そして、所定のＵＲＬ（Uniform Resource Locators）を指定することによって、画像形成装置１Ａに管理者としてログインするためのログイン画面５Ｂを端末装置２に表示させようと試みる。
【００５１】
すると、各画像形成装置１および端末装置２によって、図６〜図９に示す手順で処理が行われる。
【００５２】
端末装置２は、ユーザからＵＲＬの指定を受け付ける（図６の＃６０１）。そのＵＲＬに基づいて画像形成装置１Ａへアクセスし、画像形成装置１Ａへログインするためのログイン画面５Ｂを画像形成装置１Ａへ要求する（＃６０２）。
【００５３】
画像形成装置１Ａの認証処理部１０１（図４参照）は、端末装置２からログイン画面５Ｂの要求を受信すると（＃６３１）、そのユーザのログインの処理を次のように行う。
【００５４】
認証処理部１０１は、ログイン画面５Ｂの画面データ６Ｂを端末装置２へ送信する（＃６３２）。
【００５５】
端末装置２は、画面データ６Ｂを受信すると（＃６０３）、画面データ６Ｂに基づいてログイン画面５Ｂをタブ７Ａに図７に示すように表示する（＃６０４）。
【００５６】
ここで、ユーザは、画像形成装置１Ａの管理者用のユーザＩＤおよびパスワードをユーザデータ６Ｃとして入力する。
【００５７】
端末装置２は、ユーザデータ６Ｃの入力を受け付ける（＃６０５）。ユーザデータ６Ｃを送信することによって、画像形成装置１Ａへログインを要求する（＃６０６）。
【００５８】
画像形成装置１Ａの認証処理部１０１は、ユーザデータ６Ｃを受信すると（＃６３３）、ユーザデータ６Ｃと予め登録しているデータとを照合することによってログインの処理を行う（＃６３４）。ログインが成功した場合は、画像形成装置１Ａの状態を示す状態画面５Ｄ１の画面データ６Ｄ１を送信する（＃６３５）。以下、ログインが成功したものとして説明する。
【００５９】
端末装置２は、画面データ６Ｄ１を受信すると（＃６０７）、状態画面５Ｄ１を、画面データ６Ｄ１に基づいてタブ７Ａに図８のように表示する（＃６０８）。
【００６０】
状態画面５Ｄ１には、複数のボタン７Ａ１１〜７Ａ１６が配置されている。ここで、ユーザは、エクスポートボタン７Ａ１６をクリックする。
【００６１】
端末装置２は、クリックを受け付けると（図９の＃６０９）、画像形成装置１Ａの登録データ６Ａが適用される候補となる画像形成装置１を検索するように画像形成装置１Ａへ指示する（＃６１０）。
【００６２】
画像形成装置１ＡのＭＦＰ検索部１０２は、検索する指示を端末装置２から受信すると（＃６３６）、画像形成装置１Ａ自身と通信でき、かつ、画像形成装置１Ａの登録データ６Ａを適用できる画像形成装置１を検索する処理を、次のように行う。
【００６３】
ＭＦＰ検索部１０２は、他の画像形成装置１にＭＩＢ（Management Information Base）データ６Ｅを要求する（＃６３７）。
【００６４】
画像形成装置１Ｂ、１Ｃ、…それぞれのＭＩＢデータ送信部１２１（図５参照）は、画像形成装置１ＡからＭＩＢデータの要求を受信すると（＃６５１）、自らのＭＩＢデータ６Ｅを画像形成装置１Ａへ送信する（＃６５２）。
【００６５】
ＭＩＢデータ６Ｅには、画像形成装置１Ａの登録データ６Ａを画像形成装置１Ｂ、１Ｃ、…自身に適用できるか否かの判別に用いられるデータが含まれている。例えば、画像形成装置１Ｂ、１Ｃ、…自身の機種を示すデータ、または画像形成装置１Ｂ、１Ｃ、…自身のログイン画面を含むウェブサイトの構成を示すデータなどが含まれている。
【００６６】
画像形成装置１ＡのＭＦＰ検索部１０２は、ＭＩＢデータ６Ｅを受信すると（＃６３８）、ＭＩＢデータ６Ｅに基づいて、画像形成装置１Ａの登録データ６Ａを適用できる画像形成装置１を検索する（＃６３９）。例えば、画像形成装置１Ａと同じ機種である画像形成装置１を検索する。または、ログイン画面を含むウェブサイトの構成が画像形成装置１Ａのログイン画面５Ｂを含むウェブサイトの構成と同じである画像形成装置１を検索する。本例では、検索の結果、画像形成装置１Ｂおよび画像形成装置１Ｃが見つかったものとする。画像形成装置１Ｂおよび画像形成装置１Ｃには、「ＭＦＰ−２」および「ＭＦＰ−３」という名称がそれぞれ付されている。
【００６７】
ＭＦＰ検索部１０２は、エクスポート画面５Ｄ６の画面データ６Ｄ６を端末装置２へ送信する（＃６４０）。エクスポート画面５Ｄ６は、画像形成装置１Ａからエクスポートつまり抽出する登録データ６Ａをユーザに選択させ、かつ、ステップ＃６３９で見つかった他の画像形成装置１のなかからその登録データ６Ａを適用させる候補の画像形成装置１をユーザに選択させるための画面である。
【００６８】
端末装置２は、画面データ６Ｄ６を受信すると（＃６１１）、エクスポート画面５Ｄ６を、画面データ６Ｄ６に基づいてタブ７Ａに図１０に示すように表示する（＃６１２）。
【００６９】
ここで、ユーザは、画像形成装置１Ａから抽出する登録データ６Ａを、それに対応するチェックボックス７Ａ２１〜７Ａ２５をチェックすることによって選択する。さらに、選択した登録データ６Ａを適用させる画像形成装置１を、それに対応するチェックボックス７Ａ２６、７Ａ２７をチェックすることによって、選択する。本例では、画像形成装置１Ｂを選択する。
【００７０】
そして、ユーザは、チェックを入れ終えると、実行ボタン７Ａ２８をクリックすることで、登録データ６Ａの抽出および適用を指示する。
【００７１】
端末装置２は、登録データ６Ａおよび画像形成装置１Ｂの選択と登録データ６Ａの抽出および適用の指示とを受け付ける（＃６１３）。選択された登録データ６Ａとその登録データ６Ａを適用させる画像形成装置１（本例では、画像形成装置１Ｂ）とを示す指示データ６Ｆを画像形成装置１Ａへ送信することによって、登録データ６Ａの抽出および適用を画像形成装置１Ａへ指示する（＃６１４）。
【００７２】
画像形成装置１Ａの登録データエクスポート部１０３（図４参照）は、端末装置２から指示データ６Ｆを受信すると（＃６４１）、画像形成装置１Ａの登録データ６Ａからエクスポートファイル６Ｇを生成してファイル共有部１０４に記憶する処理を、次のように行う。
【００７３】
登録データエクスポート部１０３は、登録データ記憶領域８の中から、指示データ６Ｆが示す登録データ６Ａを検索して、見つかった登録データ６Ａを含むエクスポートファイル６Ｇを生成する（図１１の＃６４２）。生成したエクスポートファイル６Ｇを、ファイル共有部１０４に記憶させる（＃６４３）。
【００７４】
ファイル共有部１０４に記憶されたエクスポートファイル６Ｇは、ＳＭＢ（Server Message Block）などのプロトコルに従って他の画像形成装置１と共有することができる。
【００７５】
アクセスキー送信部１０５は、ファイル共有部１０４に記憶されているエクスポートファイル６Ｇへアクセスするためのアクセスキー６Ｈを、指示データ６Ｆが示す、登録データ６Ａが適用される画像形成装置１へ送信する（＃６４４）。本例では、画像形成装置１Ｂへ送信する。アクセスキー６Ｈには、エクスポートファイル６Ｇの、ファイル共有部１０４におけるＵＲＬが示されている。
【００７６】
画像形成装置１Ｂのアクセスキー受信部１２２（図５参照）は、画像形成装置１Ａからアクセスキー６Ｈを受信すると（＃６５３）、そのアクセスキー６Ｈをアクセスキー記憶部１２３に記憶する（＃６５４）。
【００７７】
画像形成装置１Ａのアクセスキー送信部１０５は、アクセスキー６Ｈを画像形成装置１Ｂへ送信すると（＃６４４）、エクスポートファイル６Ｇの送信の準備が完了した旨を端末装置２へ通知する（＃６４５）。なお、アクセスキー６Ｈを正常に記憶できた旨を画像形成装置１Ｂから受信するようにして、その旨を受信すると、エクスポートファイル６Ｇの記憶が完了した旨を端末装置２へ通知するようにしてもよい。
【００７８】
端末装置２は、エクスポートファイル６Ｇの送信の準備が完了した旨の通知を受信すると（＃６１５）、その旨をポップアップなどで表示する（＃６１６）。または、新たなタブを生成してそのタブに表示してもよい。
【００７９】
画像形成装置１Ａのログイン指示部１０６は、画像形成装置１Ｂにログインするためのログイン画面５ＫのＵＲＬを示す要求先データ６Ｊを端末装置２へ送信することで、画像形成装置１Ｂへログインを要求するように指示する（＃６４６）。
【００８０】
なお、ログイン画面５ＫのＵＲＬは、画像形成装置１Ｂ、１Ｃ、…から画像形成装置１Ａへ、ＭＩＢデータ６Ｅとともに送信してもよい。または、画像形成装置１Ａに予め記憶されていてもよい。
【００８１】
端末装置２は、要求先データ６Ｊを受信すると（＃６１７）、要求先データ６Ｊに基づいてログイン画面５Ｋを画像形成装置１Ｂへ要求する（＃６１８）。
【００８２】
画像形成装置１Ｂの認証処理部１２４は、端末装置２から行われたログイン画面５Ｋの要求を受信すると（＃６５５）、その端末装置２のユーザのログインの処理を次のように行う。
【００８３】
認証処理部１２４は、ログイン画面５Ｋの画面データ６Ｋを端末装置２へ送信する（＃６５６）。
【００８４】
端末装置２は、画面データ６Ｋを受信すると（＃６１９）、ウェブブラウザの新たなタブ７Ｂを生成し、画面データ６Ｋに基づいてタブ７Ｂにログイン画面５Ｋを図１２に示すように表示する（＃６２０）。
【００８５】
このログイン画面５Ｋの領域７Ａ３０には、画像形成装置１Ｂにログインするとエクスポートファイル６Ｇに含まれる画像形成装置１Ａの登録データ６Ａが画像形成装置１Ｂに適用される旨が示されている。
【００８６】
なお、ログイン画面５Ｋを表示するタブ７Ｂをすでに端末装置２に表示されている他のタブより優先して表示する旨の指示が、画面データ６Ｋに含まれている。そのため、端末装置２は、ログイン画面５Ｋを表示するタブ７Ｂを、ログイン画面５Ｂを表示するタブ７Ａよりも優先して（つまりタブ７Ｂがタブ７Ａによって隠れないように）表示する。
【００８７】
ここで、ユーザは、画像形成装置１Ｂの管理者用のユーザＩＤおよびパスワードをユーザデータ６Ｌとして入力する。
【００８８】
端末装置２は、ユーザデータ６Ｌの入力を受け付ける（図１３の＃６２１）。ユーザデータ６Ｌを送信することによって、画像形成装置１Ｂへログインを要求する（＃６２２）。
【００８９】
画像形成装置１Ｂの認証処理部１２４は、ユーザデータ６Ｌを受信すると（＃６５７）、ユーザデータ６Ｌと予め登録しているデータとを照合することによってログインの処理を行う（＃６５８）。ログインが成功した場合は、画像形成装置１Ｂの状態を示す状態画面５Ｍ１の画面データ６Ｍ１を送信する（＃６５９）。以下、ログインが成功したものとして説明する。
【００９０】
端末装置２は、画面データ６Ｍ１を受信すると（＃６２３）、状態画面５Ｍ１を、画面データ６Ｍ１に基づいてタブ７Ｂに図１４のように表示する（＃６２４）。
【００９１】
画像形成装置１Ｂの登録データインポート部１２５は、エクスポートファイル６Ｇに含まれる登録データ６Ａを画像形成装置１Ｂ自身に適用する処理を、次のように行う。
【００９２】
ログインが成功すると、登録データインポート部１２５は、アクセスキー記憶部１２３に記憶されたアクセスキー６Ｈに基づいて、画像形成装置１Ａのファイル共有部１０４にアクセスする（＃６６０）。ファイル共有部１０４に記憶されているエクスポートファイル６Ｇをダウンロードする（＃６６１）。エクスポートファイル６Ｇから登録データ６Ａを抽出し、その登録データ６Ａを画像形成装置１Ｂ自身の登録データ記憶領域８に登録する。すなわち、登録データ６Ａを画像形成装置１Ｂ自身に適用する（＃６６２）。
【００９３】
完了通知部１２６は、登録データインポート部１２５が登録データ６Ａを画像形成装置１Ｂ自身に適用し終えると、その旨を端末装置２へ通知する（＃６６３）。
【００９４】
端末装置２は、登録データ６Ａの適用が終了した旨を画像形成装置１Ｂから受信すると（＃６２５）、その旨をポップアップで表示する（＃６２６）。または、新たなタブを生成してそのタブに表示してもよい。
【００９５】
〔登録データ６Ａを適用させる画像形成装置１が複数のときの実施形態〕
上述の実施形態では、１台の画像形成装置１に登録データ６Ａを適用させたが、複数の画像形成装置１に適用させてもよい。この場合、例えば以下のような手順で処理が行われる。
【００９６】
端末装置２は、登録データ６Ａおよび画像形成装置１の選択と登録データの抽出および適用の指示とを受け付けるときに（図９の＃６１３）、ユーザがチェックボックスにチェックを入れた順番を認識し、順番データとして取得する。または、チェックの代わりに、登録データ６Ａをインポートさせる順番を示す番号をユーザに入力させ、その番号に基づいて順番を判別して、順番データとして取得してもよい。
【００９７】
以下、ユーザが最初にチェックボックス７Ａ２５にチェックを入れて、次にチェックボックス７Ａ２６にチェックを入れた場合を例に説明する。
【００９８】
端末装置２は、最初に画像形成装置１Ｂが選択されて次に画像形成装置１Ｃが選択されたと認識し、認識した結果を順番データとして取得する。そして、指示データ６Ｆとともに順番データを送信する。
【００９９】
画像形成装置１Ａの登録データエクスポート部１０３は、指示データ６Ｆとともに順番データを受信する。アクセスキー送信部１０５は、順番データが示す順番に従って、アクセスキー６Ｈを画像形成装置１へ送信する。本例では、最初に画像形成装置１Ｂへ送信する。
【０１００】
ログイン指示部１０６は、順番データが示す順番に従って、画像形成装置１の要求先データ６Ｊを端末装置２へ送信する。本例では、最初に画像形成装置１Ｂの要求先データ６Ｊを送信する。
【０１０１】
端末装置２は、受信した要求先データ６Ｊに基づいて、ログイン画面５Ｋを画像形成装置１Ｂへ要求する。
【０１０２】
画像形成装置１Ｂの認証処理部１２４は、画像形成装置１Ｂ自身のログイン画面５Ｋの画面データ６Ｋを端末装置２へ送信する。
【０１０３】
端末装置２は、受信した画面データ６Ｋに基づいて、新しいタブ７Ｂを生成して画像形成装置１Ｂのログイン画面５Ｋを表示する。
【０１０４】
上述の実施形態のように端末装置２と画像形成装置１Ｂとの間でログインの処理が行われて（図１３のステップ＃６２１、＃６２２、＃６５７、＃６５８）、その処理が成功すると、画像形成装置１Ｂの認証処理部１２４は、状態画面の画面データ６Ｍ１を端末装置２へ送信する。
【０１０５】
端末装置２は、受信した画面データ６Ｍ１に基づいて、タブ７Ｂに状態画面５Ｍ１を表示する。
【０１０６】
画像形成装置１Ｂの認証処理部１２４は、ログインが成功すると、画像形成装置１Ａへその旨の通知を送信する。なお、ログインが所定回数失敗した場合は、ログインの処理が中止された旨の通知を送信する。
【０１０７】
画像形成装置１Ａの登録データエクスポート部１０３は、端末装置２と画像形成装置１Ｂとの間のログインが成功した旨の通知またはログインの処理が中止された旨の通知を受信すると、順番データが示す順番に従って、アクセスキーを次の画像形成装置１すなわち画像形成装置１Ｃへ送信する。
【０１０８】
ログイン指示部１０６は、順番データが示す順番に従って、次の画像形成装置１すなわち画像形成装置１Ｃの要求先データを端末装置２へ送信する。
【０１０９】
その後、端末装置２が画像形成装置１Ｃへログインの要求し、画像形成装置１Ｃがその要求に応じて画像形成装置１Ｃにログインするためのログイン画面の画面データを端末装置２へ送信する。すると、端末装置２は、送信された画面データに基づいて、新しいタブをタブ７Ｂの隣に生成して画像形成装置１Ｃにログインするためのログイン画面を表示する。
【０１１０】
その後、画像形成装置１Ｃと端末装置２との間でログインの処理が行われてその処理が成功すると、画像形成装置１Ｃのログイン画面を表示していたタブに画像形成装置１Ｃの状態を示す状態画面を表示する。
【０１１１】
なお、画像形成装置１Ｂおよび画像形成装置１Ｃによる、エクスポートファイル６Ｇのダウンロードおよび端末装置２への完了の通知は、上述の実施形態と同様に行われる（図１３のステップ＃６６１、＃６６２、＃６６３、＃６２５、＃６２６）。
【０１１２】
３台以上の画像形成装置１が選択された場合も、画像形成装置１Ａは、同様に要求先データ６Ｊを端末装置２へ送信し、アクセスキー６Ｈを、選択された画像形成装置１へ送信すればよい。
【０１１３】
すなわち、画像形成装置１Ａは、指示データ６Ｆおよび順番データを受信すると、１番目の画像形成装置１へアクセスキー６Ｈを送信し１番目の画像形成装置１の要求先データ６Ｊを端末装置へ送信する。そして、１番目の画像形成装置１からログインの成功の通知を受信したら、２番目の画像形成装置１へアクセスキー６Ｈを送信し２番目の画像形成装置１の要求先データ６Ｊを端末装置へ送信する。
【０１１４】
以下、同様である。つまり、画像形成装置１Ａは、（Ｎ−１）番目の画像形成装置１からログインの成功の通知を受信したら、Ｎ番目の画像形成装置１へアクセスキー６Ｈを送信しＮ番目の画像形成装置１の要求先データ６Ｊを端末装置へ送信する。ただし、Ｎ≧２である。
【０１１５】
〔その他の実施形態〕
上述の実施形態では、端末装置２は、画像形成装置１ごとにタブ７Ａ、７Ｂ、…を生成して画面を表示したが、画像形成装置１ごとにウィンドウを生成して表示してもよい。
【０１１６】
上述の実施形態では、登録データ６Ａの適用が終了した旨が端末装置２だけに表示されたが、さらに、その登録データ６Ａが適用された画像形成装置１Ｂ自身のタッチパネルディスプレイ１０ｅにも表示させてもよい。
【０１１７】
上述の実施形態では、画像形成装置１Ａの登録データ６Ａを適用できる他の画像形成装置１を、画像形成装置１Ａと同じ機種である他の画像形成装置１、またはログイン画面を含むウェブサイトの構成が画像形成装置１Ａのログイン画面５Ｂを含むウェブサイトの構成と同じである他の画像形成装置１とした。
【０１１８】
しかし、他の画像形成装置１が画像形成装置１Ａの登録データ６Ａの一部でも適用できるのであれば、その画像形成装置１は、画像形成装置１Ａと異なる機種であり、または、そのログイン画面を含むウェブサイトの構成が画像形成装置１Ａのウェブサイトの構成と異なっていてもよい。この場合、適用が可能な登録データ６Ａのみ他の画像形成装置１へ適用される。
【０１１９】
上述の実施形態では、画像形成装置１Ｂにおいて、登録データインポート部１２５がエクスポートファイル６Ｇをダウンロードする前に、認証処理部１２４は状態画面５Ｍ１の画面データ６Ｍ１を端末装置２へ送信した（図１３のステップ＃６５９〜＃６６１）。しかし、登録データインポート部１２５がエクスポートファイル６Ｇをダウンロードして登録データ６Ａを画像形成装置１Ｂ自身に適用させた後に、認証処理部１２４は状態画面５Ｍ１の画面データ６Ｍ１を送信してもよい。これにより、ユーザは、ログインした直後に、最新の状態の画像形成装置１Ｂの状態を確認したりその画像形成装置１Ｂを使用したりすることができる。
【０１２０】
上述の実施形態において、画像形成装置１Ｂの認証処理部１２４は、端末装置２からのログイン画面５Ｋの要求を受信したときに（図１１の＃６５５）、画像形成装置１Ｂ自身がいずれかのユーザによって現在使用されていないかどうか（つまり、アイドリングであるかどうか）を判別してもよい。そして、いずれのユーザにも使用されていなければ、画面データ６Ｋを送信してもよい。
【０１２１】
上述の、登録データ６Ａを適用させる画像形成装置１が複数のときの実施形態において、画像形成装置１Ａの登録データエクスポート部１０３は、画像形成装置１Ｂ，１Ｃ、…のうちユーザによって現在使用されていない（つまり、アイドリングである）画像形成装置１を特定してもよい。そして、アクセスキー送信部１０５は、ユーザによって現在使用されている画像形成装置１よりも特定した画像形成装置１を優先して、アクセスキーを送信してもよい。また、ログイン指示部１０６も、画像形成装置１Ｂ，１Ｃ、…のうちユーザによって使用されていない画像形成装置１を特定してもよい。そして、特定した画像形成装置１の要求先データを、ユーザによって現在使用されている画像形成装置１の要求先データよりも優先して端末装置２へ送信してもよい。
【０１２２】
この場合、画像形成装置１Ｂ、１Ｃ、…は、ＭＩＢデータ６Ｅを画像形成装置１Ａへ送信するときに（図９の＃６５２）、いずれかのユーザによって使用されているか否かを示すデータをＭＩＢデータ６Ｅとともに送信すればよい。登録データエクスポート部１０３およびログイン指示部１０６は、そのデータに基づいてユーザによって使用されていない画像形成装置１を特定すればよい。
【０１２３】
なお、特定できた画像形成装置１が複数ある場合は、順番データの示す順番に従って優先順位を決定してもよい。
【０１２４】
その他、画像処理システム１００、各画像形成装置１、端末装置２の全体または各部の構成、処理の内容、処理の順序、各種データの構成などは、本発明の趣旨に沿って適宜変更することができる。
【符号の説明】
【０１２５】
１００  画像処理システム
１Ａ  画像形成装置（第１の画像処理装置）
１Ｂ  画像形成装置（第２の画像処理装置）
５Ｂ  ログイン画面（第２のログイン画面）
６Ａ  登録データ（登録情報）
６Ｆ  指示データ（特定データ）
６Ｊ  要求先データ（アクセス情報）
２０ｅ  ＮＩＣ（第１の送信手段、要求手段）
２０ｈ  ディスプレイ（表示手段）
１０６  ログイン指示部（第２の送信手段、送信手段）
１２５  登録データインポート部（適用手段）
１２４  認証処理部（第３の送信手段、送信手段、認証手段）
１２６  完了通知部（完了通知手段）
【図１】
2018125636.tif 000003
【図２】
2018125636.tif 000004
【図３】
2018125636.tif 000005
【図４】
2018125636.tif 000006
【図５】
2018125636.tif 000007
【図６】
2018125636.tif 000008
【図７】
2018125636.tif 000009
【図８】
2018125636.tif 000010
【図９】
2018125636.tif 000011
【図１０】
2018125636.tif 000012
【図１１】
2018125636.tif 000013
【図１２】
2018125636.tif 000014
【図１３】
2018125636.tif 000015
【図１４】
2018125636.tif 000016